(57)【要約】【課題】  床パンの搬送や現場における荷扱いの際に電源コードが垂れたり、損傷したりするのを防止する。施工の際に電源コードを目で確認できて、床パン施工時に床暖房付き床パンであることを認識でき、現場における電気工事を忘れないようにできる。【解決手段】  床暖房部１を備えた床パン２の下面に床暖房部１の電源コード３を導出する。床パン２の上面部に下方に凹んだ集水用凹部４を設ける。集水用凹部４の底に上下に開口する排水孔部５を設ける。電源コード３を床パン２の裏面側から排水孔部５を通して床パン２の上面側の集水用凹部４内に収納して、粘着テープ６で電源コード３を床パン２に着脱自在に保持する。【選択図】        図１
2007120824.tif 000002
【特許請求の範囲】
【請求項１】
床暖房部を備えた床パンの下面に床暖房部の電源コードを導出し、床パンの上面部に下方に凹んだ集水用凹部を設けると共に該集水用凹部の底に上下に開口する排水孔部を設け、電源コードを床パンの裏面側から排水孔部を通して床パンの上面側の集水用凹部内に収納して、粘着テープで電源コードを床パンに着脱自在に保持して成ることを特徴とする床暖房付き床パンにおける電源コードの梱包構造。
【請求項２】
床パンの下面に導出した電源コードを床パンの下面に設けた補強リブ及び排水孔部の下端縁を越えて排水孔部から集水用凹部内に導入し、床パンの下面に緩衝材を粘着テープで着脱自在に取付け、緩衝材の下端を、床パンの下面に突出した排水孔部の下端及び床パンの下面に垂設した補強リブの下端よりも電源コードの径以上、下方に位置させて成ることを特徴とする請求項１記載の床暖房付き床パンにおける電源コードの梱包構造。
【発明の詳細な説明】
【技術分野】
【０００１】
本発明は、床暖房付き床パンにおける電源コードの梱包構造に関するものである。
【背景技術】
【０００２】
従来から床暖房付き床パンが特許文献１等により知られている。床暖房付き床パンは、上面側が浴室の洗い場などの水がかかる面となるため、床暖房部は床パン内部に埋設するか、又は、床パンの下面に積層してあり、床暖房部の電源コードは床パンの下面側に導出して、床パンを設置した場合、床パンの下方を通して建物の電源線に接続するようにしている。
【０００３】
上記の床暖房付き床パンは工場から現場に出荷する際、段ボールで全体を梱包して搬送するようにしているが、段ボールによって全体を梱包すると、梱包費用が高くなるという問題があり、更に、梱包廃棄物が多量に発生するという問題がある。
【０００４】
そのため、段ボールにより床パンの一部を部分的に梱包して、搬送したり、施工現場で荷扱いしたりすることが考えられる。
【０００５】
しかしながら、床暖房付き床パンにおいては下面側に電源コードを導出しているため、ダンボールによる全梱包を行わないと、電源コードが下方に垂れ、搬送や施工現場における荷扱いがし難く、また、電源コードが損傷するという問題がある。
【０００６】
そこで、電源コードが床パンの下面から垂れないようにするには床パンの下面側にループ状に巻いた電源コードを粘着テープで床パン裏面に貼り付けることが考えられるが、この場合、床パンの施工の際に電源コードが見えないため、施工者が床暖房付き床パンであるとの認識がし難く、電源コードを建物の電源線に接続する電気工事を忘れるおそれがある。また、搬送や現場における荷扱いにおいては、床パンの下面を下にして搬送したり、荷扱いをするので、電源コードをループ状に巻いて厚くなった部分が最下面となって設置されることになり、電源コードに床パンの荷重がかかり、電源コードが損傷するおそれがある。
【０００７】
また、図４に示すように、床パン２の下面に導出した電源コード３を床パン２の側面を下から上に沿わせて床パン２の上面に導き、床パン２の上面にループ状に巻いた電源コード３を配置した状態で現場に搬送したり、現場で荷扱いすることが考えらるが、これだと床パン２の上面側に配置したループ状の電源コード３が現場への搬送や現場での荷扱いに当たって邪魔になりやすく、また、側面が下になるような姿勢にして搬送したり、現場で荷扱いしたりする場合に該側面を接地すると電源コード３の側面の外側に沿った部分が接地面との間に挟まれて破損して断線したり、損傷したりするおそれがある。
【特許文献１】特開平１１−２９３９３８号公報
【発明の開示】
【発明が解決しようとする課題】
【０００８】
本発明は上記の従来の問題点に鑑みて発明したものであって、床パンの搬送や現場における荷扱いの際に電源コードが垂れたり、損傷したりするのを防止すると共に、施工の際に電源コードを目で確認できて、床パン施工時に床暖房付き床パンであることを認識でき、現場における電気工事を忘れないようにできる床暖房付き床パンにおける電源コードの梱包構造を提供することを課題とするものである。
【課題を解決するための手段】
【０００９】
上記課題を解決するために本発明に係る床暖房付き床パンにおける電源コードの梱包構造は、床暖房部１を備えた床パン２の下面に床暖房部１の電源コード３を導出し、床パン２の上面部に下方に凹んだ集水用凹部４を設けると共に該集水用凹部４の底に上下に開口する排水孔部５を設け、電源コード３を床パン２の裏面側から排水孔部５を通して床パン２の上面側の集水用凹部４内に収納して、粘着テープ６で電源コード３を床パン２に着脱自在に保持して成ることを特徴とするものである。
【００１０】
このような構成とすることで、床パン２を搬送するに当たって、床パン２を段ボールで全梱包しなくても電源コード３が床パン２の下面側に垂れることがなくて電源コード３が邪魔にならず床パン２の梱包が簡単にできる。また、床パン２の搬送や保管に当たって床パン２の裏面側から排水孔部５を通した電源コード３を集水用凹部４内に収納することで電源コード３の破損を防止でき、床パン２を側面を下にして現場に搬送したり、現場で荷扱いしたりして側面を接地しても電源コード３が損傷することがなく、更に、現場で床パン２の梱包を解除して床パン２を移動したり、設置作業を行う際に、電源コード３が垂れて邪魔になったりすることがなく、また、床パン２の上面側から電源コード３が見えて、床暖房付き床パン２であることを作業者が確実に認識でき、電源コード３を建物の電源線に接続するのを忘れないようにできる。
【００１１】
また、床パン２の下面に導出した電源コード３を床パン２の下面に設けた補強リブ８及び排水孔部５の下端縁を越えて排水孔部５から集水用凹部４内に導入し、床パン２の下面に緩衝材７を粘着テープ６で着脱自在に取付け、緩衝材７の下端を、床パン２の下面に突出した排水孔部５の下端及び床パン２の下面に垂設した補強リブ８の下端部よりも電源コード３の径以上、下方に位置させることが好ましい。
【００１２】
このような構成とすることで、床パン２の搬送や保管の際に床パン２を設置した際、緩衝材７が設置面に当たることになって、電源コード３の補強リブ８下端を越えている部分や排水孔部５の下端開口縁を越えている部分が設置面に当たって、電源コード３に床パン２の荷重がかからず、電源コード３の損傷を防止できる。
【発明の効果】
【００１３】
本発明は、床パンを段ボールで全梱包しなくても、床パンの搬送や現場における荷扱いの際に電源コードが垂れたり、損傷したりしないようにでき、また、施工の際に電源コードを目で確認できて、床パン施工時に床暖房付き床パンであることを認識でき、現場における電気工事を忘れないようにできる。
【発明を実施するための最良の形態】
【００１４】
以下、本発明を添付図面に示す実施形態に基いて説明する。
【００１５】
床パン２は合成樹脂により一体成形してあり、外周部に立ち上がり部９を上方に向けて一体に突設してあり、裏面には図２、図３に示すように補強リブ８が一体に突設してあり（この補強リブ８は例えば格子状をしているが、必ずしも格子状にのみ限定されるものではない）、更に、床パン２の上面部に下方に凹んだ集水用凹部４を設けると共に該集水用凹部４の底に上下に開口する排水孔部５を設けてある。この排水孔部５には現場で排水トラップ等の排水部材が取付けられる。集水用凹部４は図３に示すように床パン２の下面よりも下方に突出しているので、集水用凹部４の底部に設けた排水孔部５もその下端は床パン２の下面よりも下方に位置している。
【００１６】
床パン２の下面の補強リブ８に囲まれた部分には床暖房部１が配設固着してある。床暖房部１は、例えば、補強リブ８に囲まれた部分にアルミ箔を溶着したヒータユニットを配設し、その下面側にウレタンフォームを介して発泡ポリスチレン等の断熱材を設置固定することで構成してある。上記床暖房部１から電源コード３が床パン２の下面側に導出してある。
【００１７】
上記のような構成の床暖房付き床パン２は工場で生産され、これを現場に搬送して設置するのであるが、工場から現場まで搬送するに当たっては、床パン２全体を段ボールで梱包するのではなく、部分的に段ボールで梱包する簡易梱包を行って梱包材の廃棄物が多量に発生しないようにしている。
【００１８】
このため、工場から現場まで搬送する際上記のように簡易梱包すると、電源コード３が床パン２から下方に垂れ下がるので、垂れ下がらないように電源コード３の梱包が必要である。
【００１９】
そこで、本発明においては電源コード３の梱包に当たって以下のような対策を講じている。
【００２０】
まず、床パン２の下面に合成樹脂発泡体よりなる緩衝材７を粘着テープ６で着脱自在に取付ける。緩衝材７は床パン２の下面に取付けた状態で、緩衝材７の下端が床パン２の下面に突出した排水孔部５の下端及び床パン２の下面に垂設した補強リブ８の下端部よりも電源コード３の径以上、下方に位置するような大きさのものを用いる。
【００２１】
床パン２の下面の補強リブ８に囲まれた部分に取付けた床暖房部１から床パン２の下方に導出された電源コード３は図２、図３に示すように補強リブ８の下端を乗り越え、更に排水孔部５の下端縁を乗り越えて排水孔部５より床パン２の上面に凹設した集水用凹部４内に導入し、電源コード３をループ状に巻いた状態で図１、図３に示すように電源コード３のループ状の束を集水用凹部４内に収納すると共に、粘着テープ６で集水用凹部４の内面に着脱自在に取付ける。ここで、電源コード３の床パン２の下面側を沿う部位を補強リブ８に粘着テープ６により着脱自在に取付けて、電源コード３が部分的に垂れないようにする。
【００２２】
この状態で、床パン２を現場に搬送し、現場で移動して施工をするのであるが、この際、電源コード３を集水用凹部４内に収納しているので、電源コード３が床パン２の下面から下方に垂れることがなく、電源コード３に邪魔されることなく、現場に搬送できる。また、搬送時や現場で荷扱いする際に、ループ状に巻いた電源コード３を床パン２の下面側に位置させて搬送する場合のように、床パン２の下面側が下となるように接地した場合、電源コード３に床パン２の荷重がかかって電源コード３を損傷して漏電等の原因となるが、本発明においては、電源コード３を集水用凹部４内に収納することで、電源コード３が破損するのを防止することができることになる。特に、床パン２の下面を接地した場合、ループ状に巻いた電源コード３の束が接地しないだけでなく、緩衝材７の下端が床パン２の下面に突出した排水孔部５の下端及び床パン２の下面に垂設した補強リブ８の下端部よりも電源コード３の径以上、下方に位置しているので、緩衝材７の下端が接地され、電源コード３の補強リブ８、排水孔部５の下端を乗り越えている部位が接地せず、電源コード３の損傷を確実に防止できる。
【００２３】
また、現場で床パン２を施工する際、床パン２の上面側に開口する集水用凹部４内に電源コード３が収納してあることで、床パン２施工に当たって電気工事が必要であることが作業者に認識され、現場で電源コード３を建物の電源線に接続する電気工事を忘れることがない。
【００２４】
現場で、床パン２を施工する際は、上記仮止めのために取着していた粘着テープ６を剥ぎ取って、集水用凹部４内に収納していた電源コード３を排水孔部５から床パン２の下方に出し、また、緩衝材７を取外し、この状態で床パン２を施工し、また、床パン２の下方に出した電源コード３を建物の電源線に接続するようにしてもよく、あるいは、集水用凹部４内に電源コード３を収納したままの状態で、床パン２の施工をし、その後、仮止めのために取着していた粘着テープ６を剥ぎ取って、集水用凹部４内に収納していた電源コード３を排水孔部５から床パン２の下方に出して電源コード３を建物の電源線に接続するようにしてもよい。後者の場合は床パン２の施工や高さ調整をする際に電源コード３に邪魔されることなく床パン２の施工、高さ調整ができる。
【図面の簡単な説明】
【００２５】
【図１】本発明の電源コードを集水用凹部に収納した状態を示す床パンの上面側から見た要部斜視図である
【図２】同上の背面側から見た要部斜視図である。
【図３】同上の断面図である。
【図４】従来例の斜視図である。
【符号の説明】
【００２６】
１  床暖房部
２  床パン
３  電源コード
４  集水用凹部
５  排水孔部
６  粘着テープ
７  緩衝材
８  補強リブ
【図１】
2007120824.tif 000003
【図２】
2007120824.tif 000004
【図３】
2007120824.tif 000005
【図４】
2007120824.tif 000006